(57)【要約】【課題】無線で接続された機器同士の登録やコンテンツのやり取りを直感的な操作で実現する。【解決手段】無線通信路を介して伝送信号を送受信するインタフェース部と、通信装置を一意に特定する識別情報を蓄積するメモリ部と、前記通信装置の方位を示す方位情報を生成するセンサー部と、前記通信装置を制御する制御部とを備え、前記制御部は、前記インタフェース部を介して前記通信装置とペアリング処理を行う際、前記メモリ部に蓄積される識別情報と、当該ペアリング処理時に前記センサー部が生成する方位情報と、を関連付けて記憶することを特徴とする無線通信装置。【選択図】図１
2012059090.tif 000002
【特許請求の範囲】
【請求項１】
自装置の方位情報を取得する方位情報取得手段と、
複数の通信装置を識別する識別情報を記憶する記憶手段と、
前記複数の通信装置から一の通信装置を選択する選択手段と、
前記選択された一の通信装置の方向入力を受け付ける入力手段と、
前記方位情報と前記方向入力に基づいて前記選択された一の通信装置の機器方位を決定し、前記機器方位を前記選択された一の通信装置の識別情報と関連付けて前記記憶手段に記憶させる制御手段と、
自装置の機器ＩＤを前記選択された一の通信装置に送信する通信手段と、
を備える、
ことを特徴とする無線通信装置。
【請求項２】
前記制御手段は、
前記機器方位が前記記憶手段に記憶されている場合、前記機器方位と関連付けられた識別情報によって識別される一の通信装置に自装置の機器ＩＤを送信し通信を開始するよう前記通信手段を制御する、
ことを特徴とする請求項１に記載の無線通信装置。
【請求項３】
前記機器方位は、
向きと大きさをもつ、
ことを特徴とする請求項１または２に記載の無線通信装置。
【請求項４】
前記制御手段は、
前記方位情報に基づいて前記機器方位または前記方向入力を補正する、
ことを特徴とする請求項１から３のいずれかに記載の無線通信装置。
【請求項５】
自装置の移動情報を取得する移動情報取得手段、
をさらに備え、
前記制御手段は、
前記移動情報に基づいて前記機器方位または前記方向入力を補正する、
ことを特徴とする請求項１から４のいずれかに記載の無線通信装置。
【請求項６】
自装置の方位情報を取得する方位情報取得手段と、
複数の通信装置を識別する識別情報を記憶する記憶手段と、
前記複数の通信装置から一の通信装置を選択する選択手段と、
前記選択された一の通信装置の方向入力を受け付ける入力手段と、
前記方位情報と前記方向入力に基づいて前記選択された一の通信装置の機器方位を決定し、前記機器方位を前記選択された一の通信装置の識別情報と関連付けて前記記憶手段に記憶させる制御手段と、
自装置の機器ＩＤと前記機器方位を前記選択された一の通信装置に送信する通信手段と、
を備える、
ことを特徴とする無線通信装置。
【請求項７】
前記制御手段は、
前記機器方位が前記記憶手段に記憶されている場合、前記機器方位と関連付けられた識別情報によって識別される一の通信装置に前記機器方位を送信し通信を開始するよう前記通信手段を制御する、
ことを特徴とする請求項６に記載の無線通信装置。
【請求項８】
機器方位を受信する通信手段と、
前記機器方位を記憶する記憶手段と、
前記機器方位が前記記憶手段に記憶されている場合、前記機器方位によって特定される無線通信装置と通信を開始するよう前記通信手段を制御する制御手段と、
を備える、
ことを特徴とする通信装置。
【発明の詳細な説明】
【技術分野】
【０００１】
本発明は、ネットワーク接続された機器のペアリング（登録）および接続に関するものである。
【背景技術】
【０００２】
近年、宅内のＩＰ（Ｉｎｔｅｒｎｅｔ  Ｐｒｏｔｏｃｏｌ）ネットワークで接続された録画機器に録画された番組などをテレビなどの表示機器で簡単に表示させるための制御方法としてＤＬＮＡ（Ｄｉｇｉｔａｌ  Ｌｉｖｉｎｇ  Ｎｅｔｗｏｒｋ  Ａｌｌｉａｎｃｅ）などが普及してきている。ＤＬＮＡでは録画機器に蓄積された番組をＩＰネットワークで接続された表示機器で表示させることなどが可能である。ＩＰネットワークの接続形態としてはＥｔｈｅｒｎｅｔ（登録商標）によるＬＡＮ（Ｌｏｃａｌ  Ａｒｅａ  Ｎｅｔｗｏｒｋ）ケーブルなどの有線接続のほかにＷｉ−Ｆｉ  Ａｌｌｉａｎｃｅで規定されたＷｉ−Ｆｉ（登録商標）などによる無線接続も浸透してきている。
【０００３】
無線接続の場合、有線接続と異なり接続形態が見えづらいため、どの機器と接続されているかを特定することであるペアリング（登録）およびその後の通信のための接続方法が重要となる。
【０００４】
接続機器の登録方法としては、メニュー画面から接続希望の機器を選択して登録させる方法が多く用いられている。この場合、接続される機器側でも接続する機器を選択して接続を許可する操作を行うことが必要な場合もある。また、登録済みの機器と接続する場合にも、やはりメニュー画面から接続先の機器を選択する操作が必要となる。
【０００５】
無線機器は移動が容易であるので機器の位置情報と絡めて接続する機器を特定する方法がある。
【０００６】
以下、特許文献１に記載された従来の無線機器のペアリング（登録）および接続方法について説明する。
【０００７】
図１１は従来のＧＰＳ（Ｇｌｏｂａｌ  Ｐｏｓｉｔｉｏｎｉｎｇ  Ｓｙｓｔｅｍ）を搭載した携帯電話をもちいた投票システムであり、携帯電話と選挙情報センタのペアリングの一実施例を示す図である。
【０００８】
図１１に示されるように、このシステムは、携帯端末装置１１０１（携帯電話）、公衆電話回線の基地局１１０２、選挙情報の提供を行う選挙情報センタ１１０３からなっている。
【０００９】
携帯端末装置１１０１は、通信用アンテナ１１１２を有している。この通信用アンテナ１１１２は通信制御部１１１３に接続されている。この通信制御部１１１３では選挙情報センタ１１０３からの情報の取得の処理や、電子メールの送受信の管理を行う。このために、通信制御部１１１３はデータ通信のためのモデムを内蔵している。その他に携帯端末装置１１０１はＧＰＳ衛星１１０４の位置信号を受信するためのＧＰＳ受信アンテナ１１１０と、ＧＰＳ信号を受信制御するＧＰＳ受信部１１１１と、全体の動作を制御する処理部１１１４と、各種テキストの表示手段である表示部１１１５と、投票者の操作により各種情報を入力する操作部１１１６と、受信した情報やその他各種情報を記憶する記憶部１１１７と、マイクとスピーカで外部との通話を行う通話部１１１８とを備えている。
【００１０】
一方、地上には、多数の基地局１１０２が設けられており、携帯端末装置１１０１は、最寄りの基地局１１０２との間で無線通信する。そして、基地局１１０２は、選挙情報センタ１１０３と電話局などを介し接続されている。
【００１１】
選挙情報センタ１１０３は、外部との通信を制御する通信部１１３０を有している。なお、この通信部１１３０は、携帯端末装置１１０１だけでなく、外部の各種データベースと接続され、各種の情報を収集する。通信部１１３０には、処理部１１３１が接続されている。この処理部１１３１は通信部１１３０を介して情報のやりとりを制御する。また、処理部１１３１には、位置情報から場所を特定するための地図データなどの各種情報を記憶するデータベース１１３５が接続されている。処理部１１３１は、各種情報をこのデータベース１１３５に記憶させ、要求に応じて適切な情報をデータベース１１３５より読み出し、通信部１１３０を介して送出したり、受信した投票データの集計を行ったりする。また、選挙情報センタ１１０３は受信した携帯端末装置１１０１からの情報よりＧＰＳの位置信号を識別し、その位置信号からその携帯端末装置１１０１の位置情報を検出する位置情報検出部１１３４を有する。
【００１２】
また、処理部１１３１には、認証装置１１３２が接続されている。この認証装置１１３２は、アクセスしてきた携帯端末装置１１０１が予め登録している正規の投票者であるかを認証する。認証装置１１３２に接続されている認証用メモリ１１３３には、投票者の認証用のデータが記憶されている。この投票者認証用のデータとして、投票者のＩＤに対応して、パスワードが記憶されると共に、投票者が事前に登録した投票場所の位置情報が記憶されている。
【００１３】
そして、携帯端末装置１１０１において、選挙情報センタ１１０３からのサービスの提供を受ける場合には、予めＩＤ、パスワード、利用電話番号を選挙情報センタ１１０３に登録する必要がある。この作業を行うことにより、ＩＤ、パスワード、利用電話番号が選挙情報センタ１１０３の認証用メモリ１１３３に記憶される。
【００１４】
投票者が携帯端末装置１１０１を利用して選挙情報センタ１１０３へ携帯端末装置１１０１での投票を行うことを登録する場合の処理について説明する。まず、投票者は操作部１１１６によって、発信操作を行う。これによって、通信制御部１１１３は通信アンテナ１１１２を制御して選挙情報センタ１１０３に対し発信する。選挙情報センタ１１０３と携帯端末装置１１０１が接続された場合には、携帯端末装置１１０１は、選挙情報センタ１１０３が用意した新規登録画面へアクセスし、ＩＤおよびパスワード、投票希望位置情報を送信する。ここで投票希望位置情報とはＧＰＳ受信部１１１１により受信した位置信号ではなく、投票者が希望する投票場所の名称および住所である。
【００１５】
選挙情報センタ１１０３は、認証用メモリ１１３３に記憶されているデータに基づいて判別を行う。即ち、送信されたＩＤに対応して記憶されているパスワードを読み出し、送信されたパスワードと記憶されているパスワードが一致するかを判別する。 選挙権の有無の関係でＩＤが登録されていなかったり、パスワードが一致しない場合には、登録を拒否する。
【００１６】
新規登録であることが確認されれば、認証装置１１３２は投票希望位置情報を認証用メモリ１１３３に書き込み、登録内容を投票者に送信する。そこで、投票者において登録状況を確認して処理を終了する。
【００１７】
次に、投票者が携帯端末装置１１０１を利用して投票を行う場合の処理について説明する。まず、投票者は操作部１１１６によって、発信操作を行う。これによって、通信制御部１１１３は通信アンテナ１１１２を制御して選挙情報センタ１１０３に対し発信する。選挙情報センタ１１０３と携帯端末装置１１０１が接続された場合には、携帯端末装置１１０１は、選挙情報センタ１１０３が用意した認証画面へアクセスし、ＩＤおよびパスワードを送信し、さらにＧＰＳ受信部１１１１により受信されたＧＰＳ位置信号が自動送信される。
【００１８】
選挙情報センタ１１０３は、送信されたＩＤに対応して認証用メモリ１１３３に記憶されているパスワードを読み出し、送信されたパスワードと記憶されているパスワードが一致するかおよび携帯端末装置１１０１での投票として登録されているかを判別する。携帯端末装置１１１での投票として登録されていなかったり、パスワードが一致しない場合には、認証エラー画面を表示し、利用を拒否する。
【００１９】
登録されていることが確認されれば、位置情報検出部１１３４は携帯端末装置１１０１より受信したＧＰＳ位置信号から携帯端末装置１１０１の現在の位置情報を検出する。
【００２０】
そして、認証装置１１３２は位置情報検出部１１３４により検出された位置情報と、登録されている投票希望位置情報とを比較し、一致するかどうかを判別する。この場合、多少の誤差を考慮した上で判別を行う。ここで検出された位置情報と、登録されている投票希望位置情報とが一致しない場合には、不正利用とみなし、認証エラー画面を表示して利用を拒否する。
【００２１】
一方、一致すると判別された場合には、データベース１１３５からの情報をもとに、投票画面の表示や立候補者データなどの送信を行う。
【先行技術文献】
【特許文献】
【００２２】
【特許文献１】特開２００２−１６３４１４号公報
【発明の概要】
【発明が解決しようとする課題】
【００２３】
このように、特許文献１の従来のペアリング（登録）および機器接続方法では、接続機器（この場合、携帯電話）の位置情報を使って機器の接続可否を判断できたが、位置情報によって被接続機器側（この場合、選挙情報センタ側）が判断するため、接続機器側（この場合、携帯電話側）が特定の機器に接続を希望する場合には接続機器側で判断することができない。このため、たとえば宅内で利用する場合、接続機器（リモコン端末など）側が複数ある機器（テレビなど）から特定のテレビに接続を希望する場合に接続できなかった。また、一般的に用いられている、メニューから接続機器を選択する方法では操作が煩雑であった。
【００２４】
本発明は、このような課題を解決するもので、接続機器であるリモコン端末側で被接続機器側であるテレビに対する方位情報を登録した後に方位情報を基に接続の可否を判断する。
【００２５】
この結果、タッチパネルなどが搭載されたリモコン端末ではテレビの方向を示す操作、たとえば、テレビの方向にタップ操作を行うことで接続が可能になり、ユーザが意識した機器と接続する手段を提供することができる。
【課題を解決するための手段】
【００２６】
上記目的を達成するために、本発明の無線通信装置は、自装置の方位情報を取得する方位情報取得手段と、複数の通信装置を識別する識別情報を記憶する記憶手段と、前記複数の通信装置から一の通信装置を選択する選択手段と、前記選択された一の通信装置の方向入力を受け付ける入力手段と、前記方位情報と前記方向入力に基づいて前記選択された一の通信装置の機器方位を決定し、前記機器方位を前記選択された一の通信装置の識別情報と関連付けて前記記憶手段に記憶させる制御手段と、自装置の機器ＩＤを前記選択された一の通信装置に送信する通信手段と、を備える、ことを特徴とする。
【００２７】
前記制御手段は、前記機器方位が前記記憶手段に記憶されている場合、前記機器方位と関連付けられた識別情報によって識別される一の通信装置に自装置の機器ＩＤを送信し通信を開始するよう前記通信手段を制御する、ことを特徴とする。
【００２８】
また、前記機器方位は、向きと大きさをもつ、こととしてもよい。
【００２９】
また、自装置の移動情報を取得する移動情報取得手段、をさらに備え、前記制御手段は、前記移動情報に基づいて前記機器方位または前記方向入力を補正する、こととしてもよい。
【００３０】
上記目的を達成するために、本発明の無線通信装置は、自装置の方位情報を取得する方位情報取得手段と、複数の通信装置を識別する識別情報を記憶する記憶手段と、前記複数の通信装置から一の通信装置を選択する選択手段と、前記選択された一の通信装置の方向入力を受け付ける入力手段と、前記方位情報と前記方向入力に基づいて前記選択された一の通信装置の機器方位を決定し、前記機器方位を前記選択された一の通信装置の識別情報と関連付けて前記記憶手段に記憶させる制御手段と、自装置の機器ＩＤと前記機器方位を前記選択された一の通信装置に送信する通信手段と、を備える、ことを特徴とする。
【００３１】
前記制御手段は、前記機器方位が前記記憶手段に記憶されている場合、前記機器方位と関連付けられた識別情報によって識別される一の通信装置に前記機器方位を送信し通信を開始するよう前記通信手段を制御する、ことを特徴とする。
【００３２】
上記目的を達成するために、本発明の通信装置は、機器方位を受信する通信手段と、前記機器方位を記憶する記憶手段と、前記機器方位が前記記憶手段に記憶されている場合、前記機器方位によって特定される無線通信装置と通信を開始するよう前記通信手段を制御する制御手段と、を備える、ことを特徴とする。
【発明の効果】
【００３３】
本発明の無線通信装置によれば、登録された機器と接続する場合、これまでは被接続機器をメニューから選ぶという操作が必要であったが、機器の方向に向かって操作するだけで接続が可能となり、接続機器側のコンテンツを通信装置であるテレビ（被接続機器）に表示させるなどの操作もユーザが直感的に行うことが可能となる効果がある。
【図面の簡単な説明】
【００３４】
【図１】本発明の実施の形態１における無線通信装置と通信装置の構成を表す図
【図２】本発明の実施の形態１における無線通信装置の登録処理の流れを示す図
【図３】本発明の実施の形態１におけるセンサー部の方位情報取得と機器方位情報入力について示す図
【図４】本発明の実施の形態１におけるテレビに映像データを送信する場合の処理の流れを示す図
【図５】本発明の実施の形態１におけるテレビへの画像送信およびテレビでの画像表示の図
【図６】本発明の実施の形態１における同じ方位にテレビが２台ある場合の図
【図７】本発明の実施の形態２における無線通信装置と通信装置の構成を表す図
【図８】本発明の実施の形態２における無線通信装置が移動された場合の図
【図９】本発明の実施の形態３におけるテレビの登録処理の流れを示す図
【図１０】本発明の実施の形態３におけるテレビに映像データを送信する場合の処理の流れを示す図
【図１１】従来のペアリング（登録）および機器接続方法を表す図
【発明を実施するための形態】
【００３５】
（実施の形態１）
以下に、本発明を実施するための形態について、図面を参照しながら説明する。
【００３６】
図１は、本発明の実施の形態１における無線通信装置の構成を表す図である。
【００３７】
本発明の実施の形態１における無線通信装置１００（接続機器）は、Ｗｉ−Ｆｉ（登録商標）などの無線により伝送信号を送受信するインタフェース部１０１と、通信装置（被接続機器）のＭＡＣ（Ｍｅｄｉａ  Ａｃｃｅｓｓ  Ｃｏｎｔｏｒｌ）アドレスや機器ＩＤなどの識別情報を特定して記憶するメモリ部１０２と、地磁気センサーなど、無線通信装置１００の方位を示す方位情報を生成するセンサー部１０３と、ユーザが無線通信装置１００に対して操作を入力するタッチパネルなどの入力部１０４と、無線通信装置１００の通信やデータ処理に関する処理を制御する制御部１０５と、無線通信装置１００の図示しない液晶ディスプレイなどの表示部に表示する画像を処理する画像処理部１０６を有し、本発明の通信装置の一例であるテレビ１１０は、伝送信号を送受信するインタフェース部１１１と、テレビ１１０の通信やデータ処理に関する処理を制御する制御部１１２と、テレビ１１０の図示しない表示部に表示する画像を処理する画像処理部１１４を有する。なお、無線通信装置の形態はタッチパネル機能付液晶ディスプレイを搭載したモバイル端末などが考えられるが特に限定しない。また通信装置はテレビに限定しない。
【００３８】
無線通信装置１００はホームネットワーク１２０を介してＷｉ−Ｆｉ（登録商標）などで接続された機器にデータを転送する場合、はじめに接続する機器を登録する必要がある。
【００３９】
本発明の無線通信装置１００における被接続機器であるテレビ１１０の機器登録作業の流れを図２に示す。また、センサー部１０３における方位情報取得と入力部１０４における機器方位情報入力について図３に示す。
【００４０】
図２において、無線通信装置１００が無線通信装置１００側でデータを通信する機器を登録しようとすると（Ｓ２０１）、まず、センサー部１０３で地磁気センサーなどを利用して方位情報を取得する（Ｓ２０２）。図３において、たとえば無線通信装置１００の中心からマーク１０７の方向を基準の向きとする。この場合、基準の向きは北である。
【００４１】
次に無線通信装置１００はメモリ部１０２に記憶されている機器の一覧を無線通信装置１００の図示しない液晶ディスプレイなどの表示部に表示する。ユーザは表示部に表示された機器の中からこれから登録しようとする機器であるテレビ１１０を選択する。無線通信装置１００はメモリ部１０２からテレビ１１０に関する情報を読み出す（Ｓ２０３）。機器に関する情報のメモリ部１０２への記憶はユーザによる直接入力であってもよいし、ホームネットワーク１２０を介して取得することとしてもよい。
【００４２】
次にタッチパネルである入力部１０４において、ユーザはテレビ１１０の方向を指し示す（Ｓ２０４）。たとえば図３にあるように入力部１０４の中心から右上にタッチパネルである入力部１０４をなぞる。制御部１０５では、センサー部１０３の方位情報と入力部１０４の入力情報をもとにテレビ１１０がある方位が北東であるとしてテレビ１１０の機器方位を確定する（Ｓ２０５）。制御部１０５ではテレビ１１０に関する情報（テレビ１１０の機器ＩＤを含む）とテレビ１１０の機器方位とを関連付けてメモリ部１０２に記憶する（Ｓ２０６）。併せて、メモリ部１０２に記憶されている無線通信装置１００自身の機器ＩＤを読み出して（Ｓ２０７）、テレビ１１０に送信し（Ｓ２０８）、機器登録作業が完了する。なお、テレビ１１０の機器ＩＤ読み出しはＤＬＮＡ（Ｄｉｇｉｔａｌ  Ｌｉｖｉｎｇ  Ｎｅｔｗｏｒｋ  Ａｌｌｉａｎｃｅ）などの通信規格を用いてもよいし、予めユーザが登録してもよく、特に限定しない。この機器登録作業により、無線通信装置１００にはテレビ１１０の機器ＩＤと機器方位が、テレビ１１０には無線通信装置１００の機器ＩＤがメモリ部１１３に登録される。なお、図３のテレビ１１０ｂを登録したい場合には、テレビ１１０ｂに関する情報を読み出し、入力部１０４で北西の方向になぞればテレビ１１０ｂも同様に登録可能である。
【００４３】
次に機器登録作業が完了したテレビ１１０にデータとして画像データを送信する場合の処理の流れについて図４に示す。
【００４４】
図４において、たとえば表示部で写真などの画像を選択して、この写真をテレビ１１０で表示させようと、無線通信装置１００が接続機器接続の作業を開始すると（Ｓ４０１）、制御部１０５では、たとえばメニュー選択やボタン押下などの操作で無線通信装置１００を接続状態に遷移させ（Ｓ４０２）、送信する画像を選択する（Ｓ４０３）。次に、入力部１０４で表示させたいテレビ１１０の方向、つまり北東の方向に指をなぞると、制御部１０５は機器接続状態に遷移しているので機器方位が入力されたと判断し（Ｓ４０４）、メモリ部１０２から入力された機器方位である北東が登録されている機器情報つまりテレビ１１０の機器ＩＤを読み出す（Ｓ４０５）とともに無線通信装置１００自身の機器ＩＤも読み出す（Ｓ４０６）。ここからはＤＬＮＡなどの通信規格などで、無線通信装置１００の機器ＩＤと選択された画像の画像データをテレビ１１０に送信して（Ｓ４０７）、送信作業が完了する。テレビ１１０ではインタフェース部１１１で受け取った画像データを制御部１１２で判別し、画像処理部１１４で処理して図示しない表示部に表示させる。テレビ１１０への画像データ送信およびテレビ１１０での画像表示のイメージ図を図５に示す。
【００４５】
なお、同じ方向、たとえば北東にテレビ１１０とテレビ１１０ｂが存在する場合は制御部１０５で機器登録時に機器方位のほかに、入力部１０４をなぞる際の移動距離情報を併せて記憶することで判別可能である。同じ方位にテレビが２台ある場合のイメージ図を図６に示す。
【００４６】
無線通信装置１００に対して近くにあるテレビ１１０を登録する場合は、ユーザは入力部１０４での機器方位情報入力時、なぞる距離を短くして（たとえば５ｃｍ）、その距離である５ｃｍを機器ＩＤ、機器方位ととともに記憶させる。また、無線通信装置１００に対して遠くにあるテレビ１１０ｂを登録する場合は、ユーザは入力部１０４での機器方位情報入力時、なぞる距離をテレビ１１０よりも長くして（たとえば１０ｃｍ）、その距離である１０ｃｍを機器ＩＤ、機器方位ととともに記憶させる。これにより、画像データ送信時、入力部１０４での操作において、機器方位に移動距離情報（なぞる距離が長い、短い）が加わることで２台のテレビ１１０、１１０ｂを判別可能となる。
【００４７】
なお、機器登録作業完了後もセンサー部１０３を継続して動作させ、無線通信装置１００の向きが基準の向きから変化した場合には、メモリ部１０２に記憶された機器方位または入力部１０４をなぞる際の方向を補正してもよい。これにより無線通信装置１００の向きが変わっても変更前と同様の効果が得られる。
【００４８】
（実施の形態２）
次に、無線通信装置１００が機器方位情報に加えて移動情報を用いて機器登録や接続を行う場合の形態について説明する。
【００４９】
図７は、本発明の実施の形態２における無線通信装置の構成を表す図である。また、図８は無線通信装置１００が移動された場合のイメージ図である。
【００５０】
本発明の実施の形態２における無線通信装置１００は、ジャイロセンサーなどを含み無線通信装置１００の移動距離および移動方向を示す情報を生成する位置検出部１０８を有する以外は実施の形態１と同じ構成を有する。
【００５１】
無線通信装置１００は実施の形態１と同様にテレビ１１０の機器登録作業を行ったのち、図８のように無線通信装置１００がテレビ１１０に向かって右側（東側）に、ユーザにより移動された場合、制御部１０５は位置検出部１０８で移動距離および移動方向（以下、「移動情報」という。）を検出する。無線通信装置１００の移動後、テレビ１１０への画像データ送信処理の際、メモリ部１０２からテレビ１１０の機器方位を読み出し位置検出部１０８での移動情報を基にテレビ１１０の機器方位を補正する。この場合、無線通信装置１００はテレビ１１０に向かって右側（東側）に、ユーザにより移動されたので、テレビ１１０は無線通信装置１００に対して機器登録時の北東側から北側にあると補正する。これにより、画像データ送信時、ユーザが無線通信装置１００の移動後の位置に基づいて、入力部１０４でテレビ１１０の機器方位を北側に入力しても（入力部１０４で北の方向に指をなぞっても）テレビ１１０に正しく画像データを送信することが可能となる。
【００５２】
なお、機器方位の補正方法は、ジャイロセンサーなどから得られる無線通信装置１００の移動情報に基づく方法ではなく、特定の地点や物体に対する相対位置情報やＧＰＳなどを基にした絶対位置情報から得られる無線通信装置１００の移動情報に基づく方法でもよく、様々な既存技術を適用することができる。
【００５３】
また、メモリ部１０２に登録されたテレビ１１０の機器方位を補正するのではなく、入力部１０４をなぞる際の方向を補正してもよい。すなわち、無線通信装置１００の移動前のテレビ１１０の機器方位（北東）を基に、無線通信装置１００の移動情報（東側）を考慮して、ユーザが無線通信装置１００の移動後のテレビ１１０の機器方位（北）を入力した場合に、元々テレビ１１０の機器方位は北東であった、と補正するのではなく、無線通信装置１００が東側へ移動した時点、あるいはその後、機器方位の入力を開始しようとした時点でテレビ１１０の機器方位を元々の北東から北に補正し、その上でユーザが機器方位（北）を入力したら、ユーザが入力した機器方位（北）とテレビ１１０の機器方位（北）が一致するとしてもよい。
【００５４】
これにより無線通信装置１００が場所を変更しても変更前と同様の効果が得られる。
【００５５】
（実施の形態３）
次に、無線通信装置１００とテレビ１１０の間を機器ＩＤではなく機器方位を送信することで機器登録および接続を行うことを実施するための形態について、図面を参照しながら説明する。
【００５６】
無線通信装置１００およびテレビ１１０の構成は実施の形態１で説明された図１と同じである。
【００５７】
本発明の無線通信装置１００における被接続機器としてテレビ１１０の機器登録作業の流れを図９に示す。
【００５８】
図９において、無線通信装置１００が無線通信装置１００側で接続する機器を登録しようとすると（Ｓ９０１）、センサー部１０３で地磁気センサーなどを利用して方位情報を取得する（Ｓ９０２）。基準の向きは北であるとする。
【００５９】
次に無線通信装置１００はメモリ部１０２に記憶されている機器の一覧を無線通信装置１００の図示しない液晶ディスプレイなどの表示部に表示する。ユーザは表示部に表示された機器の中からこれから登録しようとする機器であるテレビ１１０を選択する。無線通信装置１００はメモリ部１０２からテレビ１１０に関する情報を読み出す。
【００６０】
次にタッチパネルである入力部１０４において、ユーザはたとえば入力部１０４の中心から右上にタッチパネルである入力部１０４をなぞることでテレビ１１０の方向を指し示す（Ｓ９０３）。制御部１０５では、センサー部１０３の方位情報と入力部１０４の入力情報をもとにテレビ１１０がある方位が北東であるとしてテレビ１１０の機器方位を確定する（Ｓ９０４）。制御部１０５ではテレビ１１０に関する情報（機器ＩＤを含む）とテレビ１１０の機器方位とを関連付けてメモリ部１０２に記憶する（Ｓ９０５）。併せて、メモリ部１０２に記憶されている無線通信装置１００自身の機器ＩＤを読み出す（Ｓ９０６）。ここまでは実施の形態１と同様である。
【００６１】
読み出した無線通信装置１００自身の機器ＩＤと無線通信装置１００自身の機器方位をあわせてテレビ１１０に送信し（Ｓ９０７）、機器登録作業が完了する。ここで、無線通信装置１００自身の機器方位はテレビ１１０の機器方位と向きが同じで方向が逆である。この機器登録作業により、無線通信装置１００ではテレビ１１０の機器ＩＤとテレビ１１０の機器方位がメモリ部１０２に記憶され、テレビ１１０には無線通信装置１００の機器ＩＤと無線通信装置１００の機器方位がメモリ部１１３に記憶される。
【００６２】
次に機器登録作業が完了したテレビ１１０にデータとして画像データを送信する場合の処理の流れについて図１０に示す。
【００６３】
図１０において、たとえば、表示部で写真などの画像を選択して、この写真をテレビ１１０で表示させようと、無線通信装置１００が接続機器接続の作業を開始すると（Ｓ１００１）、制御部１０５では無線通信装置１００を接続状態に遷移させ（Ｓ１００２）、送信する画像を選択する（Ｓ１００３）。次に、入力部１０４で表示させたいテレビ１１０の方向、つまり北東に指をなぞると、制御部１０５は機器接続状態に遷移しているので機器方位が入力されたと判断し（Ｓ１００４）、メモリ部１０２に記憶されている機器方位と機器ＩＤから選択された機器がテレビ１１０と確定し（Ｓ１００５）、無線通信装置１００自身の機器方位と選択された画像データをテレビ１１０に送信して（Ｓ１００６）、送信作業が完了する（Ｓ１００７）。テレビ１１０ではインタフェース部１１１で受け取った無線通信装置１００の機器方位を制御部１１２で解析して、メモリ部１１３に記憶されている機器方位と一致すれば、画像データを制御部１１２で判別し、画像処理部１１４で処理して図示しない表示部に表示させる。
【００６４】
なお、実施の形態３では、無線通信装置１００自身の機器ＩＤと無線通信装置１００自身の機器方位をあわせてテレビ１１０に送信することとしたが、無線通信装置１００自身の機器ＩＤとテレビ１１０の機器方位をあわせてテレビ１１０に送信することとしてもよい。
【００６５】
（その他の実施の形態）
なお、実施の形態１から実施の形態３で送信するデータを画像データとして説明したが特に限定しない。
【００６６】
無線通信装置１００から被接続機器にデータを送信する例を示したが、無線通信装置１００が被接続機器からデータを受信する場合であっても本発明を適用することができる。
【００６７】
機器登録の場面、接続の場面、画像データ送信の場面において、被接続機器の方向または機器方位を入力する手段としてタッチパネルである入力部１０４を例示したが特に限定しない。例えば、カーソルキーであってもよいし、トラックボールであってもよいし、ジョイスティックであってもよいし、表示部に貼付されたタッチパネルではなく表示部とは別に備えられたタッチパッドであってもよい。
【００６８】
センサー部１０３は必ずしも地磁気センサーなどを利用して方位情報を取得するものである必要はない。ユーザが無線通信装置に方位情報を入力するようにしてもよい。無線通信装置を使用するときの無線通信装置の向きが一定の場合、たとえば必ずテレビに向かって無線通信装置を使用する場合には、方位情報を取得しなくてもよい。その場合は、マーク１０７の方向（図３参照）を基準にして、たとえば時計回りに４５度というように角度でもって機器方位を確定すればよい。
【産業上の利用可能性】
【００６９】
本発明に係る無線通信装置は、Ｗｉ−Ｆｉ（登録商標）などで接続されたテレビとポータブルデバイス（無線通信装置）間でデータをやり取りする際、テレビとポータブルデバイスの位置関係を直感的に入力するだけでデータのやり取りを行うことが可能であり、宅内ＩＰネットワーク上のＡＶ機器制御などに有用である。
【符号の説明】
【００７０】
１００  無線通信装置
１０１  インタフェース部
１０２  メモリ部
１０３  センサー部
１０４  入力部
１０５  制御部
１０６  画像処理部
１０７  マーク
１０８  位置検出部
１１０  テレビ
１１１  インタフェース部
１１２  制御部
１１３  メモリ部
１１４  画像処理部
１２０  ホームネットワーク
【図１】
2012059090.tif 000003
【図２】
2012059090.tif 000004
【図３】
2012059090.tif 000005
【図４】
2012059090.tif 000006
【図５】
2012059090.tif 000007
【図６】
2012059090.tif 000008
【図７】
2012059090.tif 000009
【図８】
2012059090.tif 000010
【図９】
2012059090.tif 000011
【図１０】
2012059090.tif 000012
【図１１】
2012059090.tif 000013